(57)【要約】      （修正有）【課題】気管支鏡のカテーテルのための湾曲構造を提供する。【解決手段】主に主弾性スプリングコイル１、二本の小型弾性スプリングコイル２及び固定ベース３で構成される。主弾性スプリングコイルは気管支鏡のカテーテルの遠端部のホースの内部に設けられるが、二本の小型弾性スプリングコイルは主弾性スプリングコイルの内部における対向する両側に設けられる。気管支鏡を供給するための二本の引張コード５はそれぞれ小型弾性スプリングコイルを貫通する。固定ベースはホースの最遠端部に配置される。二本の引張コードの遠端部はそれぞれ固定ベースの両側の貫通孔３２を貫通して固定される。引張コードの他端はハンドルの内部の制御機構に延在するように結合される。従ってハンドルに対する簡単な操作により、引張コードを連動させ、更に固定ベースを連動させて同じ方向へ揺動させ、カテーテルの遠端部を同期して湾曲させるという目的を達成することができる。【選択図】図２
0003215492.tif 000002
【実用新案登録請求の範囲】
【請求項１】
気管支鏡のカテーテルのための湾曲構造であって、当該湾曲構造は主弾性スプリングコイル、二本の小型弾性スプリングコイル及び固定ベースを含み、
主弾性スプリングコイルは気管支鏡のカテーテルの遠端部のホースの内部に設けられ、その外径がカテーテルの内径より僅かに小さく、
二本の小型弾性スプリングコイルは主弾性スプリングコイルの内部における対向する両側に設けられ、気管支鏡を供給するための二本の引張コードはそれぞれそれを貫通し、
固定ベースはカテーテルの最遠端部に結合され、複数の貫通孔が設けられ、前記二本の引張コードはそれぞれ二つの貫通孔を貫通して、結合されて位置決め板により固定されることを特徴とする気管支鏡のカテーテルのための湾曲構造。
【請求項２】
前記固定ベースに中央垂直板が設けられ、各貫通孔がその両側に設けられ、二本の引張コードの遠端部がそれぞれ固定ベースの中央垂直板の両側の中間貫通孔を貫通するようにさせることを特徴とする
請求項１に記載の気管支鏡のカテーテルのための湾曲構造。
【請求項３】
前記固定ベースに、チューブ体と組み合わせられて作動孔路を構成することができる中央孔が設けられ、各貫通孔はそれぞれ固定ベースの外縁の管状部に設けられ、対向する両側の貫通孔内に指向ストリップが設けられ、二本の引張コードの遠端部はそれぞれ固定ベースの別の両側の二つの貫通孔を貫通することを特徴とする
請求項１に記載の気管支鏡のカテーテルのための湾曲構造。
【請求項４】
異なる引張コードの移動により、固定ベースを対応する方向へ正確に揺動させ、カテーテルの遠端部のホース部を連動させて同一側へ湾曲させて方向転換させることができることを特徴とする
請求項１に記載の気管支鏡のカテーテルのための湾曲構造。
【考案の詳細な説明】
【技術分野】
【０００１】
本考案は気管支鏡のカテーテルのための湾曲構造であり、主に、新たな湾曲構造を提供する。それは複数の弾性スプリングコイルと引張コードの協働により、気管支鏡のカテーテル内に用いられ、カテーテルの遠端部を容易に制御して揺動させることができるため、進歩性及び実用性を有する。
【背景技術】
【０００２】
気管支鏡は、一般的には人体の内部に伸び込むための細長いカテーテルを含む。該カテーテルの遠端部に、ヒトの体腔内の映像を取って外部のスクリーンに伝送して、医療従事者による直接観察又は治療に供するための撮影モジュールが結合される。人体の内部の角度の異なる位置の映像を取得するために、カテーテルの遠端部に湾曲可能なホース部が設けられる。それによりその揺動を制御し、撮影モジュールを連動させて方向転換させ、角度の異なる複数の腔内映像を取得する。
【０００３】
従来の湾曲構造は、カテーテルの遠端部のホースの内部に複数のリベット継ぎされたユニットが設けられ、側方向へ揺動可能な構造として形成され、カテーテルの遠端部のホースを湾曲させるものである。該従来のユニット（ａ１）の構造は以下のとおりである。図１に示されるように、その円柱形本体（ａ１１）の両側にそれぞれ結合シート（ａ１２）が設けられる。一つのユニット（ａ１）の二つの結合シート（ａ１２）と別のユニット（ａ１）の円柱形本体（ａ１１）をマイクロリベット（ａ１３）でリベット継ぎするか、またはレーザ溶接でリベット継ぎし、続いて複数のユニットを順次結合し、カテーテルの遠端部のホースの内部に設け、二本の引張コードにより動かし、湾曲の目的を達成する。このような方式において、各ユニットをリベット継ぎしてなる構造により、カテーテルの遠端部を揺動可能にすることができるが、各ユニットをリベット継ぎするプロセスはかなり煩わしくて複雑である。また各カテーテルは複数のユニットの組み合わせを必要とするため、製造の点において不便であり、改良を必要とする。
【０００４】
また、名称が「内視鏡のためのヒンジ型末端部材」である中国の出願第２０１３８００６９７２２．６号における従来技術において、ヒンジ型ユニットを互いに係合してなる湾曲可能な構造体により、内視鏡のチューブ体の遠端部の揺動を制御する。ユニットの組み合せが簡単であるが、加工コストが高く、不便であり、各ユニットを一つずつ結合する必要がある。また応用時、ユニット同士の揺動湾曲に不良があれば、修復不可能な故障を引き起こす可能性があるため、改良を必要とする。
【考案の概要】
【考案が解決しようとする課題】
【０００５】
本考案は、気管支鏡のカテーテルのための湾曲構造であり、主に新たな湾曲構造を提供し、人体用気管支鏡のカテーテルの内部に設けられ、更に進歩性及び実用性を有する。
【課題を解決するための手段】
【０００６】
本考案の目的は以下の技術的解決機構により実現される。
気管支鏡のカテーテルのための湾曲構造であって、主弾性スプリングコイル、二本の小型弾性スプリングコイル及び固定ベースで構成される。主弾性スプリングコイルは気管支鏡のカテーテルの遠端部のホース部の内部に設けられるが、二本の小型弾性スプリングコイルは主弾性スプリングコイルの内部における対向する両側に設けられる。気管支鏡を供給するための二本の引張コードはそれぞれ小型弾性スプリングコイルを貫通する。前記固定ベースはホースの最遠端部に配置され、それに中央垂直板が設けられ、その両側に別々に複数の貫通孔が設けられる。二本の引張コードの遠端部はそれぞれ固定ベースの中央垂直板の両側に位置する中間貫通孔を貫通して、位置決め板により固定される。従って、力を異なる引張コードに加えると、固定ベースを連動させて対応する片側へ揺動させ、カテーテルの遠端部を制御して側方向へ揺動湾曲させるという目的を達成し、著しい進歩性を取得することができる。
【図面の簡単な説明】
【０００７】
【図１】図１は従来技術における気管支鏡のカテーテルのユニット構造の組み合わせを示す図である。
【図２】図２は本考案の気管支鏡のカテーテルのための湾曲構造を示す立体図である。
【図３】図３は本考案の図２の遠端部を示す平面図である。
【図４】図４は本考案のカテーテルの揺動を示す模式図である。
【図５】図５は本考案の別の実施例を示す立体図である。
【考案を実施するための形態】
【０００８】
図２、３を参照する。本実施例は気管支鏡のカテーテルのための湾曲構造である。主に主弾性スプリングコイル（１）、二本の小型弾性スプリングコイル（２）及び固定ベースで（３）構成される。主弾性スプリングコイル（１）は気管支鏡のカテーテル（４）の遠端部のホースの内部に設けられ、その外径がカテーテル（４）の内径より僅かに小さい。二本の小型弾性スプリングコイル（２）は主弾性スプリングコイル（１）の内部における対向する両側に設けられる。気管支鏡を供給するための二本の引張コード（５）はそれぞれ小型弾性スプリングコイルを貫通する。前記固定ベース（３）はカテーテル（４）の最遠端部に設けられ、それに中央垂直板（３１）が設けられ、その両側に別々に複数の貫通孔（３２）が設けられる。二本の引張コード（５）の遠端部はそれぞれ固定ベース（３）の中央垂直板の両側の中間貫通孔を貫通して、位置決め板（３３）により固定される。従って、本考案の湾曲可能な構造を実現する。固定ベース（３）における他の貫通孔は電源コード及び接続コードを穿設するために用いられる。それにより遠端部の撮影モジュール、発光体と近端部の制御機構及び電源機構を接続する。
【０００９】
使用時、主弾性スプリングコイル（１）及び小型弾性スプリングコイル（２）自体がいずれも湾曲性を有するため、力を異なる引張コード（５）に加える時、該引張コード（５）の遠端部の位置決め板（３３）は固定ベース（３）を連動させて対応する側方向へ揺動させることができる。該固定ベース（３）は中央垂直板（３１）により仕切られており、中央垂直板（３１）の両側方向のみへ湾曲して傾斜することができる。それによりカテーテルの遠端部のホース部を制御して、両側方向へ穏やかに揺動させるという状態にすることができる。図４に示されるように、カテーテルの遠端部を湾曲させるという目的を達成し、著しい進歩性を取得する。
【００１０】
更に図５を参照すると、本考案の変更された実施例を示す。その固定ベース（６）は中央孔（６１）を有する。その環状外部に複数の貫通孔（６２）が設けられる。該中央孔（６１）はチューブ体と接続されて作動管路を構成するために用いられる。二本の引張コード（５）の遠端部もそれぞれ固定ベース（６）における対向する側の二つの貫通孔に穿設され、また別の両側の二つの貫通孔内に指向ストリップ（６３）が取り付けられる。それにより固定ベース（６）を制御して異なる引張コード（２）による連動で、対応する方向へ正確に湾曲させ、カテーテルの遠端部のホース部を動かして湾曲揺動させることができる。本考案の応用範囲を広くし、実用上の効果を向上させる。
【００１１】
要するに、本考案における改良された湾曲構造は、製造プロセスが簡単で、従来の複数のユニットを互いに係合するか又はリベット継ぎする必要とせず、カテーテルの遠端部のホースの内部に組み合わせやすく、気管支鏡のカテーテルの遠端部を制御して湾曲揺動させるという目的を達成することができる。従来の設計に比べて、極めて高い進歩性を有する。
【符号の説明】
【００１２】
（１）  主弾性スプリングコイル、（２）  小型弾性スプリングコイル、（３）  固定ベース、（３１）  中央垂直板、（３２）  貫通孔、（３３）  固定板、（４）  カテーテル、（５）  引張コード、（６）  固定ベース、（６１）  中央孔、（６２）  貫通孔、（６３）  指向ストリップ
【図１】
0003215492.tif 000003
【図２】
0003215492.tif 000004
【図３】
0003215492.tif 000005
【図４】
0003215492.tif 000006
【図５】
0003215492.tif 000007